(57)【要約】【課題】本考案は、環境に優しい素材を使い、人の健康によく、しかも歩きやすい下駄を提供する。【解決手段】下駄を従来のように１枚の板によって作らず、３枚の板を組み合わせて作ることにより、人間の足にあった、歩きやすい下駄を提供することができる。そこに人間工学の観点をいれ、土踏まずの高さを下駄に盛り込んだり、かかと部分を高くしたり、脚の位置を人の重心を考慮して決めたりする結果、健康によい下駄を提供できる。  さらに間伐材を使うことにより、環境に優しい製品を作ることができる。【選択図】図２
0003122221.tif 000002
【実用新案登録請求の範囲】
【請求項１】
３枚の板をつなぐことによって作られた下駄
【請求項２】
３枚の板をつなぎ、板の材質、デザイン、高さ、寸法を組み合わせる事のできる下駄
【請求項３】
３枚の板をつなぎ、人間の足の形状、大きさに合わせて作る下駄
【考案の詳細な説明】
【技術分野】
【０００１】  本考案は、人間工学の観点から、人間の健康の促進につながり、しかも履き心地もよい下駄に関するものである。
【背景技術】
【０００２】  これまで下駄は、１枚の板で作るのが一般であった。まず１枚の板が選ばれ、それに鼻緒と脚をつけるという発想である。しかしこれは、板に人間の方があわせているのであり、人間の健康に必ずしもいいとは言えない。また１枚の板は平坦であるところ、履き心地にも問題がある。
【考案の開示】
【考案が解決しようとする課題】
【０００３】  下駄の利点は、気軽に引っ掛ける事のできることであり、気の張らない外出などの際に気軽に履けることである。そのため、体や気持ちのゆったりした着物や浴衣によく合い、カランコロンという音はくつろいだ気持ちに欠かせない。昔から旅館では、浴衣とともに下駄をそろえるのが一般である。すなわち、日本人のくつろぎとセットなのである。【０００４】  このように履くことによってくつろいだ気持ちになる下駄は、気軽に履けるだけでなく、履き心地もよく、健康にも良ければさらによい下駄である事は間違いない。【０００５】  そこで、板のほうに人間を合わせるのではなく、人間の健康や履き心地に板のほうを合わせようというのが本考案のねらいである。【０００６】  まず、板が１枚であるという点について考えてみる。この点につき、確かに１枚であるほうが経済的であるかもしれない。簡単に作れるという利点もある。しかし、人間の足は土踏まずのところにくぼみがあり平坦ではないので、平坦な板が必ずしもフイットするとは言いがたい。【０００７】  また歩くたびに板の後ろの部分と足の裏には間隔があき、歩きにくい。ましてや走ったりすることには不向きである。【０００８】  元々下駄は土と裸足の間に板を置こうという発想から生まれたものであり、気軽にちょっとしたときに引っ掛ける目的を持っているのであり、気軽さが下駄の生命である。【０００９】  歩きやすさという点から考えれば、わらじが圧倒的に優れている。足にフィットし、しかも軽い。【００１０】  しかし日本人は下駄を履く。それは、ちょっとした外出に足を締め上げるわらじは心にそぐわないからである。【００１１】  そこでくつろいだ雰囲気で引っ掛けるという下駄の気楽さを保ちながら、なおかつわらじの持つ機能性を備えることができないかというのが本考案の課題である。
【課題を解決するための手段】
【００１２】  本課題を解決するために、まず下駄の材質は板であることは欠かせない。なぜなら板が地面と接するときに出す音こそが人を安らげるからである。
しかし、板は１枚であることを要しない。いや従来の下駄は１枚の板で作られることが当たり前という固定観念があり、何枚かの板でできている下駄というのはこれまで見られない。【００１３】  本考案は、まず板３枚で下駄を作ることから成り立つ。それは板を３枚にすることにより、板をカーブさせることができ、人間の足にフィットする下駄が可能になるからである。【００１４】  特に真ん中の板を持ち上げることにより、土踏まずのところにフィットさせ、竹踏みのような効果を与えることができ、歩くだけで健康に良い。【００１５】  さらに、３枚の板は留め具で固定されるが、個人の好みに合わせて、３枚の板を自由に選ぶことができる。つま先に力を入れて歩きたければ、かかと部分を高く作られた板を選択すればいいのである。【００１６】  すなわち、３枚の板は人の足の大きさ、形、使い方の好みに応じ、組合せが自由なのである。【００１７】  次に木の材質であるが、これまで下駄の材質には硬めのものが選ばれた。湿地が多かった昔には、硬い板が柔らかい泥を踏むのに適していたのだろう。【００１８】  しかし、舗装された道路が一般である今日、硬い板は衝撃をそのまま伝え、必ずしも健康的であるとは言えない。むしろ柔らかい板のほうは足にフィットし、歩く衝撃も和らげるのである。【００１９】  そのためには、北洋材よりは南洋材のほうがふさわしいといえる。履き心地も柔らかい板のほうがいい。【００２０】また個人の好みに合わせ、かかとの部分は柔らかい板で、つま先は固い板でという組合せも可能である。【００２１】  ３枚の板の大きさであるが、たとえば足の大きさが２５ｃｍの人に対しては、下駄の大きさも２５ｃｍであることが望ましい。それは靴を足の大きさに合わせて選ぶことから明らかである。（従来の下駄は誰でも履けるようにと多少大きめに作られている。）【００２２】  ３枚の板の大きさの比は、ある個人の例では土踏まず部分が先端から約１０ｃｍのところから始まり、１６センチところで終わっているので、３枚の板は１０：６：９という大きさの比が考えられる。（あくまでも例示である。）【００２３】  また脚の位置の中心は、２５ｃｍの下駄の場合、下駄の先端部分から８．５ｃｍのところと下駄の後ろの部分から４．５ｃｍのところに設置してある。これは歩くとき足の重心を考慮してのことである。
【考案の効果】
【００２４】  このような下駄を履くことにより、人は気軽に引っ掛けるという下駄の従来の良さを保持したまま、歩きやすいと感じることができる。【００２５】  また、土踏まずのところを高くしたり、かかと部分を高くしたりして、健康に留意した下駄を作ることができる。【００２６】  さらにまだ土踏まずのできていない子どもに対して、土踏まずの形成に資することもできる。
【考案の実施するための最良の形態】
【００２７】  この考案を実現するひとつの方策として間伐材の利用が考えられる。間伐材は北洋材に比べ柔らかい。太さは普通の材木に比べ細いが、この下駄は１枚の板を取る必要がなく、３つの部分に分けて取ることができるので、間伐材で十分なのである。
【００２８】  間伐材をベースに、硬い北洋材や柔らかい南洋材を組み合わせることによって、様々な顧客の要望に応えることができる。顧客は３つのパーツを選択することにより、好みに合った様々なバリエーションの下駄を選べるのである。ヒールを高くすることによって、女性のニーズを発掘することもできる。間伐材をベースにするのは、日本の自然の中でできたものを生かし、利用しようという環境に優しい気持ちからである。
【００２９】  さらに大きさ、材質、ヒールの高さ、板をきる形などを指定して注文に応じることもできる。
【実施例】
【００３０】  以下添付図面に従って実施例を挙げるが、実地例はあくまでも例示であることに留意されたい。【００３１】  実地例は、旅館から男性用、女性用に分けた下駄の注文が来た場合を想定している。男性の下駄は従来どおりのデザインで、女性の下駄は、草履に似せ、先端に丸みを持たせ、かかと部分を若干高くして欲しい。さらに両方とも足にフィットし、健康にいいように作ってくれとの要望である。【００３２】  図１は、男性用の下駄の３つのパーツをうえから見た図である。これを組み込んで、一枚の板のようにする。一種の寄木造である。
図２は、これを組み立て、上からみたものである。▲１▼は留め具であるが、木のよさを生かすために留め具も木で作ってある。
図３は、これを横から見た図である。▲２▼は土踏まずのところにふくらみを持たせ、足にフィットさせ歩きやすく、かつ健康によくしたものである。
図４は、女性用の下駄のパーツを上から見たものである。男性用の下駄に比べ、先端部とかかと部に丸みを持たせてある。
図５は、これを組み立てたものを横から見た図である。▲３▼は男性用と同じく、土踏まずの部分にふくらみをもたせたもの。▲４▼はかかと部分を少し高くしたものである。なお、女性用下駄には脚部分はつけていない。
【図面の簡単な説明】
【００３３】
【図１】下駄のパーツの構成図（男性用）
【図２】下駄を組み立てたものを上から見た図（男性用）
【図３】下駄を組み立てたものを横から見た図（男性用）
【図４】下駄のパーツの構成図（女性用）
【図５】下駄を組み立てたものを横から見た図（女性用）
【符号の説明】
【００３４】▲１▼  木の留め具
▲２▼  土踏まず部分のふくらみ
▲３▼  土踏まず部分のふくらみ
▲４▼  若干高めに作ったかかと部分
【図１】
0003122221.tif 000003
【図２】
0003122221.tif 000004
【図３】
0003122221.tif 000005
【図４】
0003122221.tif 000006
【図５】
0003122221.tif 000007